(57)【特許請求の範囲】
【請求項１】
各種の情報を電子的に記憶可能なＩＣチップと、
前記ＩＣチップをキー本体の先端近傍に保持可能な保持部と、を有して構成され、
前記保持部の先端の形状が、前記キー本体によって施錠および開錠が可能なキーシリンダに形成された凹部と嵌合可能な形状からなることを特徴とする、
キーケース。
【請求項２】
前記キー本体の把持部に固定されるベース部をさらに備え、
前記保持部は、前記ベース部に対して移動可能であって、少なくとも、前記キー本体のキーコードが形成された挿入部を覆う第１の位置と、前記挿入部を露出する第２の位置との間の移動が可能であることを特徴とする、
請求項１に記載のキーケース。
【請求項３】
前記保持部が、前記キー本体の挿入部の挿入操作に伴って前記第１の位置から前記第２の位置へと移動可能であることを特徴とする、
請求項２に記載のキーケース。
【請求項４】
前記保持部が、前記ベース部の内側に入れ子筒状に配設されると共に、前記キー本体の挿入部の挿入方向と逆の方向に移動可能であることを特徴とする、
請求項３に記載のキーケース。
【請求項５】
前記保持部を前記第２の位置から前記第１の位置へと付勢する付勢手段をさらに備えたことを特徴とする、
請求項２〜４のいずれか１項に記載のキーケース。
【請求項６】
前記保持部の先端の形状が、非対称形状であることを特徴とする、
請求項５に記載のキーケース。
【請求項７】
前記保持部が、前記第１の位置にある場合に、前記保持部の外側から前記キー本体の挿入部を視認不能、または視認可能な部材からなることを特徴とする、
請求項２〜６のいずれか１項に記載のキーケース。
【請求項８】
前記ベース部の正面視の形状が、略楕円形状であることを特徴とする、
請求項２〜７のいずれか１項に記載のキーケース。
【請求項９】
キー本体と、
請求項１〜８のいずれか１項に記載のキーケースと、を有して構成されていることを特徴とする、
キー。
【請求項１０】
請求項９に記載のキーのキー本体によって施錠および開錠が可能なキーシリンダであって、
前記保持部の先端と嵌合可能な凹部が形成されていることを特徴とする、
キーシリンダ。
【請求項１１】
前記凹部の形状が、非対称形状であることを特徴とする、
請求項１０に記載のキーシリンダ。
【発明の詳細な説明】
【技術分野】
【０００１】
本発明は、キーケース、キー、およびキーシリンダに関する。
【背景技術】
【０００２】
従来、キーに関する各種情報を電子的に記憶可能なＩＣチップを備えたキーが広く知られている。このようなキーの１つとして、例えば、特許文献１には、把持部にＩＣチップが内蔵されたキーが開示されている。
【特許文献１】特開２０００−７４７５０号公報
【発明の開示】
【発明が解決しようとする課題】
【０００３】
しかしながら、上記特許文献１に開示されたキーでは、ＩＣチップにより電気的に施錠や開錠を行う場合にはキーの把持部側をＩＣチップリーダなどにかざす必要がある一方で、キー本体により機械的に施錠や開錠を行う際には、把持部とは逆側の先端部側をキーシリンダなどに挿入する必要があった。そのため、キーの使用者は、キーの使用場面に応じてキーの持ち方などを変えなければならず、利便性が低いといった問題点があった。
【０００４】
また、上記特許文献１に開示されたキーはＩＣチップをキー本体に内蔵しているため、ＩＣチップのメンテナンスが難しいといった問題点もあった。
【０００５】
本発明は、このような問題点を解決するためになされたものであって、従来よりも利便性やメンテナンス性を向上させることができるキーケースおよびキーを提供することを目的とする。
【０００６】
また、本発明は、キー本体の挿入部をキーシリンダのキー挿入孔へ容易且つ確実に導くことができ、本発明に係るキーによる施錠や開錠の操作性を高めることができるキーシリンダを提供することを目的とする。
【課題を解決するための手段】
【０００７】
（１）本発明は、各種の情報を電子的に記憶可能なＩＣチップと、前記ＩＣチップをキー本体の先端近傍に保持可能な保持部と、を有して構成されていることを特徴とする、キーケースである。
【０００８】
（２）本発明は、前記キー本体の把持部に固定されるベース部をさらに備え、前記保持部は、前記ベース部に対して移動可能であって、少なくとも、前記キー本体のキーコードが形成された挿入部を覆う第１の位置と、前記挿入部を露出する第２の位置との間の移動が可能であることを特徴とする、前記（１）に記載のキーケースである。
【０００９】
（３）本発明は、前記保持部が、前記キー本体の挿入部の挿入操作に伴って前記第１の位置から前記第２の位置へと移動可能であることを特徴とする、前記（２）に記載のキーケースである。
【００１０】
（４）本発明は、前記保持部が、前記ベース部の内側に入れ子筒状に配設されると共に、前記キー本体の挿入部の挿入方向と逆の方向に移動可能であることを特徴とする、前記（３）に記載のキーケースである。
【００１１】
（５）本発明は、前記保持部を前記第２の位置から前記第１の位置へと付勢する付勢手段をさらに備えたことを特徴とする、前記（２）〜（４）のいずれか１項に記載のキーケースである。
【００１２】
（６）本発明は、前記保持部の先端の形状が、前記キー本体によって施錠および開錠が可能なキーシリンダに形成された凹部と嵌合可能な形状からなることを特徴とする、前記（２）〜（５）のいずれか１項に記載のキーケースである。
【００１３】
（７）本発明は、前記保持部の先端の形状が、非対称形状であることを特徴とする、前記（６）に記載のキーケースである。
【００１４】
（８）本発明は、前記保持部が、前記第１の位置にある場合に、前記保持部の外側から前記キー本体の挿入部を視認不能な部材からなることを特徴とする、前記（２）〜（７）のいずれか１項に記載のキーケースである。
【００１５】
（９）本発明は、前記保持部が、前記第１の位置にある場合に、前記保持部の外側から前記キー本体の挿入部を視認可能な部材からなることを特徴とする、前記（２）〜（７）のいずれか１項に記載のキーケースである。
【００１６】
（１０）本発明は、前記ベース部の正面視の形状が、略楕円形状であることを特徴とする、前記（２）〜（９）のいずれか１項に記載のキーケースである。
【００１７】
（１１）本発明は、キー本体と、前記（１）〜（１０）のいずれか１項に記載のキーケースと、を有して構成されていることを特徴とする、キーである。
【００１８】
（１２）本発明は、前記（１１）に記載のキーのキー本体によって施錠および開錠が可能なキーシリンダであって、前記保持部の先端と嵌合可能な凹部が形成されていることを特徴とする、キーシリンダである。
（１３）本発明は、前記凹部の形状が、非対称形状であることを特徴とする、前記（１２）に記載のキーシリンダである。
【発明の効果】
【００１９】
本発明に係るキーケースやキーによれば、従来よりも利便性やメンテナンス性を向上させることができる。
【００２０】
なお、前記キー本体の把持部に固定されるベース部をさらに備え、前記保持部は、前記ベース部に対して移動可能であって、少なくとも、前記キー本体のキーコードが形成された挿入部を覆う第１の位置と、前記挿入部を露出する第２の位置との間の移動が可能であれば、キーの変形やキーコードによる損傷などを未然に回避することができる。
【００２１】
また、前記保持部が、前記キー本体の挿入部の挿入操作に伴って前記第１の位置から前記第２の位置へと移動可能であれば、キーの使用者は従来通りのキー挿し操作を行うだけで保持部を第２の位置に移動させることができ、キーの使用に際して特別な操作が不要である。特に、前記保持部が、前記ベース部の内側に入れ子筒状に配設されると共に、前記キー本体の挿入部の挿入方向と逆の方向に移動可能であれば、キーケースやキーの小型化が容易な上に、構造が簡素で低コスト化を図ることができる。
【００２２】
また、前記保持部を前記第２の位置から前記第１の位置へと付勢する付勢手段をさらに備えれば、キーの使用者は従来通りのキー抜き操作を行うだけで保持部を第１の位置に移動させることができ、特別な操作をすることなくキー本体を確実に保護することができる。
【００２３】
また、前記保持部の先端の形状が、前記キー本体によって施錠および開錠が可能なキーシリンダに形成された凹部と嵌合可能な形状であれば、キー本体の挿入部をキーシリンダのキー挿入孔へ容易且つ確実に導くことができ、施錠や開錠の操作性を高めることができる。
【００２４】
また、前記保持部の先端の形状が、非対称形状であれば、キーの使用者は、キーとキーシリンダの嵌合位置を容易に把握することができ、キーシリンダに対するキーの位置決めを容易且つ迅速に行うことができる。
【００２５】
また、前記保持部が、前記第１の位置にある場合に、前記保持部の外側から前記キー本体の挿入部を視認不能な部材からなれば、挿入部に刻まれたキーコードの形状や識別番号などを他人に盗み見されるおそれがなく、キーに関する重要な情報を保護することができる。
【００２６】
また、前記保持部が、前記第１の位置にある場合に、前記保持部の外側から前記キー本体の挿入部を視認可能な部材からなれば、キーの使用者は、キー本体の挿入部の位置関係を把握しながらキーの抜き差しを行うことができ、キーの施錠や開錠をより迅速に行うことができる上に、デザイン性を高めることもできる。
【００２７】
また、前記ベース部の正面視の形状が、略楕円形状であれば、キーをテーブルの上などに置いた場合でもキーが転がり落ちてしまうようなことが無く、利便性を高めることができる。
【００２８】
また、本発明に係るキーシリンダによれば、キー本体の挿入部をキーシリンダのキー挿入孔へ容易且つ確実に導くことができ、本発明に係るキーによる施錠や開錠の操作性を高めることができる。
【００２９】
なお、前記凹部の形状が、非対称形状であれば、キーの使用者は、キーとキーシリンダの嵌合位置を容易に把握することができ、キーシリンダに対するキーの位置決めを容易且つ迅速に行うことができる。
【発明を実施するための最良の形態】
【００３０】
以下、図面を用いて、本発明の実施形態に係るキーについて詳細に説明する。
【００３１】
<キー>
【００３２】
まず最初に、キー全体の構造について説明する。
【００３３】
図１〜図５は、本実施形態に係るキー１０の略示外観図であり、図１はキー１０の略示平面図、図２は図１の矢印ＩＩから見たキー１０の略示正面図、図３は図１の矢印ＩＩＩから見たキー１０の略示側面図である。
【００３４】
このキー１０は、キー本体１２と、このキー本体１２の把持部１２Ａにシャフト１４を介して固定されたケース１６（本発明に係る「べース部」）と、このケース１６に対して図１の矢印Ｘ方向に移動が可能なスライドカバー１８（本発明に係る「保持部」）と、このスライドカバー１８の先端１８Ｄ近傍に内蔵されたＩＣチップ２１と、スライドカバー１８をケース１６から遠ざける方向（図１の下方向）に付勢する２本のバネ２０と、を有して構成されている。
【００３５】
図４および図５は、本実施形態に係るキー１０のスライドカバー１８をケース１６内に収容した様子を示した、上記図１に対応する略示平面図および上記図３に対応する略示側面図である。
【００３６】
本実施形態に係るキー１０のスライドカバー１８は、キー本体１２のキーコード１２Ｄ（図６参照）が形成された挿入部１２Ｂを覆う「第１の位置（図１および図３に示される位置）」と、挿入部１２Ｂを露出する「第２の位置（図４および図５に示される位置）」との間の移動が可能となっている。
【００３７】
また、上記図３に示されるように、スライドカバー１８の先端１８Ｄは、スライドカバー１８が「第１の位置」にある場合においてキー本体１２の先端１２Ｅ近傍に位置するように設計されているため、スライドカバー１８は、ＩＣチップ２１をキー本体１２の先端１２Ｅ近傍に保持可能である。
【００３８】
<キー本体>
【００３９】
次に、キー本体について説明する。
【００４０】
図６〜図８は、本実施形態に係るキー本体１２の略示外観図であり、図６はキー本体１２の略示平面図、図７は図６の矢印ＶＩＩから見たキー本体１２の略示正面図、図８は図６の矢印ＶＩＩＩから見たキー本体１２の略示側面図である。
【００４１】
このキー本体１２の把持部１２Ａには、シャフト１４と連結するための２つの連結孔１２Ｃが並んで形成されている。一方、キー本体１２の挿入部１２Ｂには、多数のくぼみからなるキーコード１２Ｄが形成されている。
【００４２】
なお、図６には、本発明に係る「キーコード」の一例としてディンプル（多数の小さなくぼみ）を示したが、本発明はこれに限定されるものではなく、例えば、ディンプルの代わりに凹凸形状の鍵山などを形成してもよい。
【００４３】
<シャフト>
【００４４】
次に、シャフトについて説明する。
【００４５】
図９〜図１１は、本実施形態に係るシャフト１４の略示外観図であり、図９はシャフト１４の略示平面図、図１０は図９の矢印Ｘから見たシャフト１４の略示正面図、図１１は図９の矢印ＸＩから見たシャフト１４の略示側面図である。
【００４６】
このシャフト１４は、キー本体１２の把持部１２Ａの端部を挿入して固定するための挿入孔１４Ａと、キー本体１２の把持部１２Ａに形成された連結孔１２Ｃと略同形状の２つの連結孔１４Ｂと、ケース１６の内面に形成された凸部１６Ｃ（図１４参照）に嵌合可能な凹部１４Ｃと、平面視が円形状の貫通孔１４Ｄと、を備えている。
【００４７】
なお、シャフト１４とキー本体１２は、シャフト１４の各連結孔１４Ｂとキー本体１２の各連結孔１２Ｃに固定用のピン（図示省略）を挿入することによって固定される。
【００４８】
<ケース>
【００４９】
次に、ケース（本発明に係る「べース部」）について説明する。
【００５０】
図１２〜図１４は、本実施形態に係るケース１６の略示外観図であり、図１２はケース１６の略示平面図、図１３は図１２の矢印ＸＩＩＩから見たケース１６の略示正面図、図１４は図１２の矢印ＸＩＶから見たケース１６の略示側面図である。
【００５１】
このケース１６は、正面視が略半楕円形状の第１ケース１６Ａと第２ケース１６Ｂによって構成されており、全体として、正面視が略楕円形状となるように成形されている（図２参照）。なお、第１ケース１６Ａと第２ケース１６Ｂは厚み寸法が若干異なるだけであるため、図１３および図１４には第２ケース１６Ｂ（下側のケース）のみを図示している。
【００５２】
これら第１ケース１６Ａおよび第２ケース１６Ｂには、シャフト１４を固定するための、平面視が略正方形形状の凸部１６Ｃと、平面視が円形状の貫通孔１６Ｄが形成されている。
【００５３】
また、ケース１６とシャフト１４は、ケース１６の凸部１６Ｃにシャフト１４の凹部１４Ｃを嵌合することによって固定される。
【００５４】
なお、本実施形態では、ケース１６を、シャフト１４を介してキー本体１２の把持部１２Ａに固定する例を示したが、本発明に係る「キー」はこれに限定されるものではない。従って、例えば、ケース１６を、シャフト１４を介することなくキー本体１２の把持部１２Ａに直接、固定してもよく、また、ケース１６を、シャフト１４以外の他の部材を介してキー本体１２の把持部１２Ａに固定してもよい。すなわち、本発明に係る「ベース部」は、キー本体の把持部に固定されていればよい。
【００５５】
また、本発明に係る「ベース部」の形状は特に限定されないが、本実施形態に係るケース１６のように、正面視の形状が略楕円形状であれば、キーをテーブルの上などに置いた場合でもキーが転がり落ちてしまうようなことが無く、キーの利便性を高めることができる。
【００５６】
<スライドカバー>
【００５７】
次に、スライドカバー（本発明に係る「保持部」）について説明する。
【００５８】
図１５〜図１７は、本実施形態に係るスライドカバー１８の略示外観図であり、図１５はスライドカバー１８の略示平面図、図１６は図１５の矢印ＸＶＩから見たスライドカバー１８の略示正面図、図１７は図１５の矢印ＸＶＩＩから見たスライドカバー１８の略示側面図である。
【００５９】
このスライドカバー１８は、正面視が略半楕円形状の第１スライドカバー１８Ａと第２スライドカバー１８Ｂによって構成されており、一方の第１スライドカバー１８Ａには、ＩＣチップ２１を収容可能な収容部１８Ｅが形成されている。なお、第２スライドカバー１８Ｂは、収容部１８Ｅを除き第１スライドカバー１８Ａと類似する形状であるため、図１６および図１７には第１スライドカバー１８Ａのみを図示している。
【００６０】
また、第１スライドカバー１８Ａおよび第２スライドカバー１８Ｂには、これらが組み合わされた状態においてキー本体１２の挿入部１２Ｂが収納可能な程度の幅や深さを有する溝部１８Ｃが形成されている。
【００６１】
さらに、スライドカバー１８は、上記図１〜図５に示されるように、第１スライドカバー１８Ａおよび第２スライドカバー１８Ｂが組み合わされた状態でケース１６の内側空間内に入れ子筒状に配設される。
【００６２】
なお、本発明に係る「保持部」の材質は特に限定されないが、例えば、スライドカバー１８が、第１の位置（上記図１および図３に示される位置）にある場合に、スライドカバー１８の外側からキー本体１２の挿入部１２Ｂを視認不能な部材によって構成されていれば、挿入部１２Ｂに刻まれたキーコード１２Ｄの形状や識別番号などを他人に盗み見されるおそれがなく、キーに関する重要な情報を保護することができる。なお、「保持部の外側からキーコードを視認不能な部材」としては、例えば、着色されたプラスチック部材やセラミック部材などが挙げられる。
【００６３】
一方、スライドカバー１８が、第１の位置にある場合に、スライドカバー１８の外側からキー本体１２の挿入部１２Ｂを視認可能な部材によって構成されていれば、キーの使用者は、キー本体１２の挿入部１２Ｂの位置関係を把握しながらキーの抜き差しを行うことができ、キーの施錠や開錠をより迅速に行うことができる上に、デザイン性を高めることもできる。なお、「保持部の外側からキー本体の挿入部を視認可能な部材」としては、例えば、透明部材や半透明部材などを挙げることができると共に、保持部の一部に、キー本体の挿入部を視認可能とするための小窓などを設けてもよい。
【００６４】
また、スライドカバー１８の内面（スライドカバー１８内側と、キー本体１２の挿入部１２Ｂとの間）にブラシなどを配設してもよく、この場合、スライドカバー１８の移動に伴ってキー本体１２の挿入部１２Ｂを清掃することができ、キーコード近傍にごみや埃が付着するのを防止することができる。
【００６５】
さらに、スライドカバー１８とキー本体１２の間に潤滑剤を充填してもよく、この場合、スライドカバー１８の移動をより円滑に行うことができる。
【００６６】
さらにまた、蓄光剤や蛍光剤などを用いてスライドカバー１８を発光させてもよく、この場合、暗い場所においてもキーの施錠や開錠を確実に行うことができる。
【００６７】
<ＩＣチップ>
【００６８】
次に、ＩＣチップについて説明する。
【００６９】
上記図１に示されるように、ＩＣチップ２１は、スライドカバー１８（第１スライドカバー１８Ａ）の先端１８Ｄ近傍に内蔵されており、キー１０の未使用時（スライドカバー１８が上記「第１の位置」にある時）には、スライドカバー１８によってキー本体１２の先端１２Ｅ近傍に保持される。
【００７０】
なお、本発明に係る「ＩＣチップ」は、各種の情報が電子的に記憶できるＩＣチップであればよく、例えば、密着型、近接型、近傍型、遠隔型の非接触型ＩＣチップや、接触型のＩＣチップなど、従来公知のＩＣチップを適用することができるが、本実施形態に係るＩＣチップ２１はアンテナ内蔵の非接触型ＩＣチップである。この非接触型ＩＣチップには、キーコードなどのキー固有の情報を電子的に記憶することができると共に、非接触型ＩＣチップは、内蔵アンテナを通してＩＣチップリーダ（図示省略）との間で電力供給やデータの読み書きが可能である。
【００７１】
<バネ>
【００７２】
次に、バネについて説明する。
【００７３】
上記図１に示されるように、バネ２０は、ケース１６の内面端部とスライドカバー１８の端部との間に２本配設されており、スライドカバー１８を上述の第２の位置から第１の位置へと付勢するためのものである。なお、バネ２０の配設場所は本実施形態の例に限定されるものではない。
【００７４】
次に、本実施形態に係るキー１０の作用について詳細に説明する。
【００７５】
キー１０のＩＣチップ２１を用いて電子的に施錠や開錠を行う場合には、キー１０のケース１６を持った状態で、キー本体１２の先端部１２ＥをＩＣチップリーダなどにかざして施錠・開錠を行う。
【００７６】
一方、キー１０のキー本体１２に形成されたキーコード１２Ｄを用いて機械的に施錠や開錠を行う場合には、以下の方法で施錠・開錠を行う。
【００７７】
図１８は、本実施形態に係るキー１０（のキー本体１２）によって施錠および開錠が可能なキーシリンダ３０の一例を示した図である。
【００７８】
同図に示されるように、このキーシリンダ３０には、キー本体１２の挿入部１２Ｂが挿入可能なキー挿入孔３０Ａと、スライドカバー１８の先端１８Ｄと嵌合可能な略楕円形状の凹部３０Ｂが形成されている。
【００７９】
キー１０の使用者は、最初に、キー１０のケース１６を持った状態で、キー１０のスライドカバー１８の先端１８Ｄをキーシリンダ３０の凹部３０Ｂに嵌め込んでキー１０の位置決めを行う。
【００８０】
このように、本実施形態に係るキー１０は、スライドカバー１８の先端１８Ｄが、キーシリンダ３０に形成された凹部３０Ｂと嵌合可能な形状からなり、本実施形態に係るキーシリンダ３０には、スライドカバー１８の先端１８Ｄと嵌合可能な凹部３０Ｂが形成されている。そのため、キー本体１２の挿入部１２Ｂをキーシリンダ３０のキー挿入孔３０Ａへ容易且つ確実に導くことができ、キー１０による施錠や開錠の操作性を高めることができる。
【００８１】
また、スライドカバー１８の先端１８Ｄの形状が非対称形状であるため、キーの使用者は、キー１０とキーシリンダ３０の嵌合位置を容易に把握することができ、キーシリンダ３０に対するキー１０の位置決めを容易且つ迅速に行うことができる。
【００８２】
なお、本発明に係る「保持部」の先端の形状や、これと嵌合可能な「キーシリンダの凹部」は、上記図１８に示される例に限定されるものではない。
【００８３】
従って、例えば、図１９に示されるように、縦長楕円形状の先端４２Ａを有する保持部４２を備えたキー４０と、保持部４２の先端４２Ａと嵌合可能な凹部５０Ａを有するキーシリンダ５０と、を組み合わせてもよい。また、図２０に示されるように、上下の形状が非対称形状の先端６２Ａを有する保持部６２を備えたキー６０と、保持部６２の先端６２Ａと嵌合可能な凹部７０Ａを有するキーシリンダ７０と、を組み合わせてもよい。さらに、保持部の先端の形状が、例えば真円のような対称形状であってもよい。
【００８４】
次に、キー１０の位置決めを行った状態でキー１０をシリンダ３０に向けて押し付けると、キー１０のスライドカバー１８が、バネ２０の付勢力に逆らって第１の位置から第２の位置へと移動する。この結果、キー本体１２の挿入部１２Ｂは、スライドカバー１８の外部に露出すると共にシリンダ３０のキー挿入孔３０Ａ内に挿入され、キー１０によってキーシリンダ３０の施錠や開錠が可能な状態となる。
【００８５】
このように、本実施形態に係るキー１０は、スライドカバー１８が、キー本体１２の挿入操作に伴って第１の位置から第２の位置へと移動可能であるため、キーの使用者は従来通りのキー挿し操作を行うだけでスライドカバー１８を第２の位置に移動させることができ、キーの使用に際して特別な操作が不要である。
【００８６】
しかも、スライドカバー１８が、ケース１６の内側に入れ子筒状に配設されていると共に、キー本体１２の挿入部１２Ｂの挿入方向と逆の方向に移動可能であるため、キー１０の小型化が容易な上に、構造が簡素で低コスト化を図ることができる。
【００８７】
一方、キー１０の使用者がキーシリンダ３０の施錠や開錠を終えてキー１０をシリンダ３０から遠ざける方向に移動すると、スライドカバー１８は、バネ２０による付勢力によって第２の位置から第１の位置へと移動する。その結果、キー本体１２の挿入部１２Ｂは、スライドカバー１８によって自動的に（キー使用者の人手によらず）覆われることになる。
このように、本実施形態に係るキー１０は、スライドカバー１８を第２の位置から第１の位置へと付勢する付勢手段（本実施形態ではバネ２０）を備えたため、キーの使用者は従来通りのキー抜き操作を行うだけでスライドカバー１８を第１の位置に移動させることができ、特別な操作をすることなくキー本体を確実に保護することができる。
【００８８】
以上説明したように、本実施形態に係るキー１０によれば、各種の情報を電子的に記憶可能なＩＣチップ２１と、ＩＣチップ２１をキー本体１２の先端１２Ｅ近傍に保持可能な保持部（本実施形態ではスライドカバー）１８と、を有して構成されているため、ＩＣチップ２１により電気的に施錠や開錠を行う場合でも、キー本体１２により機械的に施錠や開錠を行う場合と同様に、キー本体１２の先端１２Ｅ側をＩＣチップリーダなどにかざせば足りる。そのため、キーの使用者は、キーの使用場面に応じてキーの持ち方などを変える必要性がなく、従来よりも利便性を高めることができる。また、ＩＣチップ２１がキー本体１２とは別体の保持部に備わっているため、ＩＣチップがキー本体に内蔵されている場合に比べ、ＩＣチップのメンテナンス性を向上させることができ、ＩＣチップの交換や修理が容易である。
【００８９】
また、キー１０は、キー本体１２と、キー本体１２の把持部１２Ａに固定されるベース部（本実施形態ではケース）１６と、ベース部１６に対して移動可能な保持部（本実施形態ではスライドカバー）１８と、を有して構成され、保持部１８は、少なくとも、キー本体１２のキーコード１２Ｄが形成された挿入部１２Ｂを覆う第１の位置と、挿入部１２Ｂを露出する第２の位置との間の移動が可能であるため、キーの変形やキーコードによる損傷などを未然に回避することができる。特に、保持部１６は、「キー全体」を覆うものではなく、「キー本体１２のキーコード１２Ｄが形成された挿入部１２Ｂのみ」を覆うものであるため、従来よりもキーやキーケースの小型化が可能で、キーの使用時や持ち運び時における利便性を高めることができる。
【００９０】
なお、本実施形態では、キーについて説明したが、キー本体の把持部に固定されるベース部と、前記ベース部に対して移動可能な保持部と、を有して構成され、前記保持部は、少なくとも、前記キー本体のキーコードが形成された挿入部を覆う第１の位置と、前記挿入部を露出する第２の位置との間の移動が可能であることを特徴とするキーケースとしても、同様の効果を得ることができる。
【００９１】
また、本実施形態では、付勢手段としてバネ２０を用いたが、本発明に係る「キー」および「キーケース」はこれに限定されるものではなく、例えば、構造の簡略化やコストの低減を重要視する場合には、バネは不要である。さらに、本発明に係る「付勢手段」はバネに限定されるものでもない。
【００９２】
また、本実施形態では、ケース１６とスライドカバー１８を入れ子筒状に配設した例を示したが、本発明に係る「キー」および「キーケース」はこれに限定されるものではなく、本発明に係る「保持部」が、キー本体の挿入部の挿入操作に伴って第１の位置から第２の位置へと移動可能であればよい。
【産業上の利用可能性】
【００９３】
本発明のキーケース、キー、キーシリンダの適用分野は特に限定されないが、アパートやマンションなどに代表される住宅用のキー、キーケース、キーシリンダなどに特に好適である。
【図面の簡単な説明】
【００９４】
【図１】本実施形態に係るキーの略示平面図である。
【図２】図１の矢印ＩＩから見た同キーの略示正面図である。
【図３】図１の矢印ＩＩＩから見た同キーの略示側面図である。
【図４】同キーのスライドカバーをケース内に収容した様子を示した図１に対応する略示平面図である。
【図５】同キーのスライドカバーをケース内に収容した様子を示した図３に対応する略示側面図である。
【図６】本実施形態に係るキー本体の略示平面図である。
【図７】図６の矢印ＶＩＩから見た同キー本体の略示正面図である。
【図８】図６の矢印ＶＩＩＩから見た同キー本体の略示側面図である。
【図９】本実施形態に係るシャフトの略示平面図である。
【図１０】図９の矢印Ｘから見た同シャフトの略示正面図である。
【図１１】図９の矢印ＸＩから見た同シャフトの略示側面図である。
【図１２】本実施形態に係るケースの略示平面図である。
【図１３】図１２の矢印ＸＩＩＩから見た同ケースの略示正面図である。
【図１４】図１２の矢印ＸＩＸから見た同ケースの略示側面図である。
【図１５】本実施形態に係るスライドカバーの略示平面図である。
【図１６】図１５の矢印ＸＶＩから見た同スライドカバーの略示正面図である。
【図１７】図１２の矢印ＸＶＩＩから見た同スライドカバーの略示側面図である。
【図１８】本実施形態に係るキーによって施錠および開錠が可能なキーシリンダの一例を示した図である。
【図１９】第２の実施形態に係るキーと、このキーによって施錠および開錠が可能なキーシリンダの一例を示した図である。
【図２０】第３の実施形態に係るキーと、このキーによって施錠および開錠が可能なキーシリンダの一例を示した図である。
【符号の説明】
【００９５】
１０、４０、６０・・・キー
１２・・・キー本体
１２Ａ・・・把持部
１２Ｂ・・・挿入部
１２Ｃ・・・連結孔
１２Ｄ・・・キーコード
１４・・・シャフト
１４Ａ・・・挿入孔
１４Ｂ・・連結孔
１４Ｃ・・・凹部
１４Ｄ・・・貫通孔
１６・・・ケース
１６Ａ・・・第１ケース
１６Ｂ・・・第２ケース
１８・・・スライドカバー
１８Ａ・・・第１スライドカバー
１８Ｂ・・・第２スライドカバー
１８Ｃ・・・溝部
１８Ｄ、４２Ａ、６２Ａ・・・先端
２０・・・バネ
２１・・・ＩＣチップ
３０、５０、７０・・・キーシリンダ
３０Ａ・・・キー挿入孔
３０Ｂ、５０Ｂ、７０Ｂ・・・凹部
４２、６２・・・保持部
【図１】
0004761456.tif 000002
【図２】
0004761456.tif 000003
【図３】
0004761456.tif 000004
【図４】
0004761456.tif 000005
【図５】
0004761456.tif 000006
【図６】
0004761456.tif 000007
【図７】
0004761456.tif 000008
【図８】
0004761456.tif 000009
【図９】
0004761456.tif 000010
【図１０】
0004761456.tif 000011
【図１１】
0004761456.tif 000012
【図１２】
0004761456.tif 000013
【図１３】
0004761456.tif 000014
【図１４】
0004761456.tif 000015
【図１５】
0004761456.tif 000016
【図１６】
0004761456.tif 000017
【図１７】
0004761456.tif 000018
【図１８】
0004761456.tif 000019
【図１９】
0004761456.tif 000020
【図２０】
0004761456.tif 000021